(57)【特許請求の範囲】
【請求項１】
固有の電話番号を識別する識別情報が記録された記録媒体を着脱可能に装着する携帯端末装置であって、
前記記録媒体の装着に応じて前記記録媒体から国情報を抽出する抽出部と、
前記抽出部にて抽出された前記国情報毎に電話番号を記憶する記憶部と、
前記記憶部に記憶中の前記電話番号に対応する発信操作を検出すると、当該電話番号の国情報が装着中の前記記録媒体の国情報と異なる場合に、当該電話番号に対応する国情報の国番号を当該電話番号に付加して発信する制御部と
を有することを特徴とする携帯端末装置。
【請求項２】
前記記憶部は、
第１の国仕様の記録媒体の装着中に登録した電話番号を記憶する第１の領域と、
前記第１の国仕様の記録媒体から第２の国仕様の記録媒体への入れ替え装着を検出すると、前記第１の領域に記憶された前記電話番号を当該第１の国の国情報に対応付けて記憶する第２の領域とを有し、
前記制御部は、
前記第２の領域に記憶中の前記電話番号に対応する発信操作を検出すると、当該電話番号に対応する国情報の国番号を当該電話番号に付加して発信することを特徴とする請求項１に記載の携帯端末装置。
【請求項３】
固有の電話番号を識別する識別情報が記録された記録媒体を着脱可能に装着する携帯端末装置が、
前記記録媒体の装着に応じて前記記録媒体から国情報を抽出し、
前記抽出された前記国情報毎に電話番号を記憶部に記憶し、
前記記憶部に記憶中の前記電話番号に対応する発信操作を検出すると、当該電話番号の国情報が装着中の前記記録媒体の国情報と異なる場合に、当該電話番号に対応する国情報の国番号を当該電話番号に付加して発信する
処理を実行することを特徴とする発信処理方法。
【請求項４】
固有の電話番号を識別する識別情報が記録された記録媒体を着脱可能に装着する携帯端末装置に、
前記記録媒体の装着に応じて前記記録媒体から国情報を抽出し、
前記抽出された前記国情報毎に電話番号を記憶部に記憶し、
前記記憶部に記憶中の前記電話番号に対応する発信操作を検出すると、当該電話番号の国情報が装着中の前記記録媒体の国情報と異なる場合に、当該電話番号に対応する国情報の国番号を当該電話番号に付加して発信する
処理を実行させることを特徴とする発信処理プログラム。
【発明の詳細な説明】
【技術分野】
【０００１】
本発明は、携帯端末装置、発信処理方法及び発信処理プログラムに関する。
【背景技術】
【０００２】
近年、自国から海外に渡航した際に、携帯端末内のＳＩＭ（Subscriber  Identity  Module)を渡航先国仕様のＳＩＭに入れ替え、渡航先国のキャリア事業者を利用してＳＭＳや電話の発信を実行可能にするＳＩＭフリーの利用機会が増えている。尚、ＳＩＭには、キャリア事業者と契約した電話番号等の固有のＩＤが記録され、そのＩＤ内にＳＩＭの仕様国の国番号が記録されている。
【０００３】
携帯端末は、宛先毎に電話番号を格納した電話帳機能を利用して所望の宛先の電話番号にワンタッチ操作で発信できる。また、携帯端末では、装着中のＳＩＭを当該ＳＩＭの仕様国内で使用して新規の電話番号を電話帳機能に登録する場合、国番号を意識することなく、宛先毎に電話番号を登録している。
【０００４】
しかしながら、携帯端末は、例えば、電話帳機能を利用して渡航先国から自国の宛先に国際電話の発信を実行する場合に、電話帳機能に登録された宛先の電話番号を読み出し、読み出された電話番号の先頭に宛先の国番号を手入力で付加して発信することになる。その結果、携帯端末の利用者は、電話帳機能を利用して電話帳機能内の宛先の電話番号に対して国際電話が可能になる。
【先行技術文献】
【特許文献】
【０００５】
【特許文献１】特開２００１−６１０００号公報
【特許文献２】特開２００１−５７６８８号公報
【特許文献３】特開２００６−３１１１０３号公報
【発明の概要】
【発明が解決しようとする課題】
【０００６】
しかしながら、携帯端末には、国番号を付加した電話番号が電話帳機能内に登録されておらず、利用者が電話帳機能を利用して国際電話や国際ＳＭＳを実行する場合、その都度、電話番号の先頭に国番号を手入力で付加する操作を要し、その操作負担が大きい。
【０００７】
また、携帯端末の電話帳機能に国番号を予め付加した電話番号を登録しておくことも考えられるが、宛先毎の電話番号に国番号を付与して登録する必要があるため、登録数×（国番号１〜３桁）分の余計な記憶容量を要し、その登録に要する操作負担も大きい。
【０００８】
一つの側面では、電話帳機能を利用した海外への発信に対する利用者の操作負担を軽減できる携帯端末装置、発信処理方法及び発信処理プログラムを提供することを目的とする。
【課題を解決するための手段】
【０００９】
一つの案では、固有の電話番号を識別する識別情報が記録された記録媒体を着脱可能に装着する携帯端末装置である。携帯端末装置は、抽出部と、記憶部と、制御部とを有する。前記抽出部は、前記記録媒体の装着に応じて前記記録媒体から国情報を抽出する。前記記憶部は、前記抽出部にて抽出された前記国情報毎に電話番号を記憶する。前記制御部は、前記記憶部に記憶中の前記電話番号に対応する発信操作を検出すると、当該電話番号の国情報が装着中の前記記録媒体の国情報と異なる場合に、当該電話番号に対応する国情報の国番号を電話番号に付加して発信する。
【発明の効果】
【００１０】
電話帳機能を利用した海外への発信に対する利用者の操作負担を軽減できる。
【図面の簡単な説明】
【００１１】
【図１】図１は、本実施例の携帯端末の一例を示す説明図である。
【図２】図２は、現在仕様国グループの一例を示す説明図である。
【図３】図３は、国番号グループの一例を示す説明図である。
【図４】図４は、国番号登録処理に関わるＣＰＵの処理動作の一例を示すフローチャートである。
【図５】図５は、発信処理に関わるＣＰＵの処理動作の一例を示すフローチャートである。
【図６】図６は、ＵＳＩＭ（日本仕様）初回装着時の携帯端末の動作の一例を示す説明図である。
【図７】図７は、ＵＳＩＭ（フランス仕様）入れ替え時の携帯端末の動作の一例を示す説明図である。
【図８】図８は、ＵＳＩＭ（日本仕様）入れ替え時の携帯端末の動作の一例を示す説明図である。
【図９】図９は、ＵＳＩＭ（フランス仕様）入れ替え時の携帯端末の動作の一例を示す説明図である。
【図１０】図１０は、発信処理プログラムを実行する端末装置の一例を示す説明図である。
【発明を実施するための形態】
【００１２】
以下、図面に基づいて、本願の開示する携帯端末装置、発信処理プログラム及び発信処理方法の実施例を詳細に説明する。尚、本実施例により、開示技術が限定されるものではない。また、以下に示す各実施例は、矛盾を起こさない範囲で適宜組み合わせても良い。
【実施例】
【００１３】
図１は、本実施例の携帯端末１の一例を示す説明図である。図１に示す携帯端末１は、例えば、契約した電話番号等を記録したＵＳＩＭ（Universal  Subscriber  Identity  Module)）カードを着脱可能にするＳＩＭフリーの携帯電話機やスマートフォン等の端末装置である。尚、ＳＩＭカードは、契約した電話番号や国番号等のＩＣＣＩＤ（IC  Card  Identifier）が記録されたＳＩＭを搭載した記録媒体である。携帯端末１は、通信部１１と、装着部１２と、表示部１３と、操作部１４と、ＲＯＭ（Read  Only  Memory）１５と、ＲＡＭ(Random  Access  Memory)１６と、電話帳ＤＢ（Database）１７と、ＣＰＵ（Central  Processing  Unit）１８とを有する。
【００１４】
通信部１１は、携帯端末１の無線通信を司る部位である。装着部１２は、ＵＳＩＭカードを着脱可能に装着する部位である。尚、通信部１１は、装着部１２へのＵＳＩＭカードの装着を検出すると、ＵＳＩＭカード内のＵＳＩＭのＩＣＣＩＤ（IC  Card  Identifier）を抽出する。
【００１５】
表示部１３は、各種情報を表示する出力インタフェースである。操作部１４は、各種情報を入力する入力インタフェースである。ＲＯＭ１５は、各種情報、例えば、発信処理プログラム等を格納する領域である。ＲＡＭ１６は、各種情報を記憶する領域を有し、例えば、後述する国番号を記憶する国番号メモリ１６Ａを有する。電話帳ＤＢ１７は、電話帳データを格納する領域であって、現在仕様国グループ２１と、国番号グループ２２と有する。図２は、現在仕様国グループ２１の一例を示す説明図である。図２に示す現在仕様国グループ２１は、携帯端末１に装着中のＵＳＩＭの仕様国に対応する現在仕様国の電話帳データを記憶する第１の領域である。尚、ＵＳＩＭの仕様国とは、ＵＳＩＭに記録されたＩＣＣＩＤ内に記録された国番号に対応する国である。電話帳データは、例えば、宛先名２１Ａ及び電話番号２１Ｂ等を対応付けたデータである。現在仕様国グループ２１は、現在の携帯端末１で使用中の仕様国対応の電話帳データを記憶する領域である。
【００１６】
図３は、国番号グループ２２の一例を示す説明図である。図３に示す国番号グループ２２は、携帯端末１に装着したＵＳＩＭの仕様国単位で携帯端末１内の全電話帳データをグループ化し、仕様国毎に、国番号２２Ａ、宛先名２２Ｂ及び電話番号２２Ｃを対応付けて記憶する第２の領域である。尚、国番号グループ２２は、装着ＵＳＩＭの仕様国に対応する国番号に応じて電話帳ＤＢ１７内に追加登録されるものである。
【００１７】
ＣＰＵ１８は、携帯端末１全体を制御する部位である。ＣＰＵ１８は、ＲＯＭ１５に記憶された発信処理プログラムを読み出し、読み出された発信処理プログラムに基づき各種プロセスを機能として構成するものである。ＣＰＵ１８は、抽出部３１と、判定部３２と、記憶制御部３３と、発信制御部３４とを有する。
【００１８】
抽出部３１は、通信部１１を通じてＵＳＩＭのＩＣＣＩＤを検出すると、ＩＣＣＩＤ内の国番号を抽出する。判定部３２は、ＵＳＩＭ内の国番号（抽出国番号）を抽出すると、抽出した抽出国番号がＲＡＭ１６内の国番号メモリ１６Ａ内に保存済みの国番号と同一であるか否かを判定する。判定部３２は、抽出国番号が保存済みの国番号と同一でない場合、保存済みの国番号に該当する国番号グループ２２が電話帳ＤＢ１７内にあるか否かを判定する。
【００１９】
記憶制御部３３は、保存済みの国番号に該当する国番号グループ２２が電話帳ＤＢ１７内にない場合、保存済み国番号に該当する国番号グループ２２を電話帳ＤＢ１７内に新規として追加登録する。更に、記憶制御部３３は、現在仕様国グループ２１内の電話帳データを現在仕様国に該当する国番号グループ２２内に設定する。更に、記憶制御部３３は、現在仕様国グループ２１内の電話帳データを現在仕様国に該当する国番号グループ２２内に設定した後、抽出国番号を国番号メモリ１６Ａに記憶する。尚、国番号メモリ１６Ａに記憶する国番号の個数は１個とする。
【００２０】
発信制御部３４は、現在仕様国グループ２１内の電話帳データを使用して発信操作を検出した場合、発信先の宛先名２１Ａに対応する電話番号２１Ｂに基づき自動発信する。尚、ＣＰＵ１８は、現在仕様国グループ２１及び国番号グループ２２内の電話帳データを表示部１３に画面表示し、表示部１３に表示中の電話帳データから所望宛先の電話番号を指定する発信操作を検出する。発信制御部３４は、現在仕様国グループ２１を使用した発信操作に応じて仕様国内の電話番号に基づき、所望の宛先に発信する。尚、発信は、例えば、国内の宛先への電話やＳＭＳ（Short  Message  Service）等の発信動作である。
【００２１】
また、発信制御部３４は、国番号グループ２２内の電話帳データを使用して発信操作を検出した場合、発信先の宛先名２２Ｂに対応する電話番号２２Ｃの先頭に国番号２２Ａを付加する。そして、発信制御部３４は、国番号２２Ａを付加した電話番号２２Ｃに基づき、自動発信する。尚、この際の発信は、例えば、他国の宛先への国際電話や国際ＳＭＳ等の発信動作である。
【００２２】
次に本実施例の携帯端末１の動作について説明する。図４は、国番号登録処理に関わるＣＰＵ１８の処理動作の一例を示すフローチャートである。図４に示す国番号登録処理では、ＵＳＩＭカードの装着を検出すると、ＵＳＩＭカード装着前のＵＳＩＭカードの仕様国の電話帳データを国番号に対応付けてグループ化して電話帳ＤＢ１７内の国番号グループ２２に登録する処理である。
【００２３】
図４においてＣＰＵ１８は、通信部１１を通じて装着部１２に対するＵＳＩＭカードの装着を検出したか否かを判定する（ステップＳ１１）。抽出部３１は、ＵＳＩＭカードの装着を検出した場合（ステップＳ１１肯定）、通信部１１を通じてＵＳＩＭからＩＣＣＩＤを抽出する（ステップＳ１２）。抽出部３１は、抽出したＩＣＣＩＤから国番号（抽出国番号）を抽出する（ステップＳ１３）。
【００２４】
ＣＰＵ１８内の判定部３２は、国番号メモリ１６Ａ内に国番号（保存済み国番号）があるか否かを判定する（ステップＳ１４）。判定部３２は、国番号メモリ１６Ａ内に保存済み国番号がある場合（ステップＳ１４肯定）、保存済み国番号と抽出国番号とが同一であるか否かを判定する（ステップＳ１５）。判定部３２は、携帯端末１の現在仕様国と、装着中ＵＳＩＭの仕様国とが同一であるかを判定する。
【００２５】
判定部３２は、保存済み国番号と抽出国番号とが同一でない場合（ステップＳ１５否定）、装着ＵＳＩＭの仕様国が現在仕様国と異なるため、保存済み国番号に該当する国番号グループ２２が電話帳ＤＢ１７内にあるか否かを判定する（ステップＳ１６）。尚、保存済み国番号に該当する国番号グループ２２とは、例えば、保存済み国番号が“日本”の場合、日本の国番号グループ２２である。
【００２６】
ＣＰＵ１８内の記憶制御部３３は、保存済み国番号に該当する国番号グループ２２がない場合に（ステップＳ１６否定）、保存済み国番号に該当する国番号グループ２２を電話帳ＤＢ１７内に追加する（ステップＳ１７）。
【００２７】
記憶制御部３３は、現在仕様国グループ２１内の電話帳データを、現在仕様国に該当する国番号グループ２２内に更新登録する（ステップＳ１８）。尚、現在仕様国グループ２１は、現在仕様国の電話帳データを国番号グループ２２内に更新登録すると、空き領域となる。記憶制御部３３は、現在仕様国の電話帳データを国番号グループ２２内に設定した後、抽出国番号を国番号メモリ１６Ａ内に書き込み保存する（ステップＳ１９）。尚、記憶制御部３３は、抽出国番号を国番号メモリ１６Ａ内に書き込む際、国番号メモリ１６Ａに保存済みの保存済み国番号を読み出し、国番号メモリ１６Ａ内を空き状態にしてから、抽出国番号を書き込むものとする。
【００２８】
判定部３２は、抽出国番号に該当する国番号グループ２２が電話帳ＤＢ１７内にあるか否かを判定する（ステップＳ２０）。記憶制御部３３は、抽出国番号に該当する国番号グループ２２が電話帳ＤＢ１７内にある場合（ステップＳ２０肯定）、抽出国番号に該当する国番号グループ２２内の電話帳データを現在仕様国グループ２１内に更新登録する（ステップＳ２１）。そして、判定部３２は、図４に示す処理動作を終了する。尚、現在仕様国グループ２１は、抽出国番号に該当する国番号グループ２２内の電話帳データが更新登録される。尚、記憶制御部３３は、現在仕様国グループ２１内を空き領域にした後、抽出国番号に該当する国番号グループ２２内の電話帳データを更新登録したが、空き領域にせず、そのまま、電話帳データを上書き保存するようにしても良い。
【００２９】
ＣＰＵ１８は、ＵＳＩＭカード装着を検出しなかった場合（ステップＳ１１否定）、図４に示す処理動作を終了する。判定部３２は、国番号メモリ１６Ａ内に保存済み国番号がない場合（ステップＳ１４否定）、国番号メモリ１６Ａ内に抽出国番号を保存すべく、ステップＳ１９に移行する。
【００３０】
判定部３２は、抽出国番号と保存済み国番号とが同一の場合（ステップＳ１５肯定）、携帯端末１の現在仕様国と装着ＵＳＩＭの仕様国とが同一のため、図４に示す処理動作を終了する。判定部３２は、該当する国番号グループ２２が電話帳ＤＢ１７内にある場合（ステップＳ１６肯定）、現在仕様国グループ２１内の電話帳データを保存済み国番号、すなわち現在仕様国に該当する国番号グループ２２内に更新登録すべく、ステップＳ１８に移行する。判定部３２は、抽出国番号に該当する国番号グループ２２が電話帳ＤＢ１７内にない場合（ステップＳ２０否定）、図４に示す処理動作を終了する。
【００３１】
国番号登録処理を実行するＣＰＵ１８は、装着中のＵＳＩＭの仕様国の国番号２２Ａ毎に、国番号２２Ａに該当する国の電話帳データを国番号グループ２２として電話帳ＤＢ１７内に登録する。その結果、図３に示すように国番号単位で電話帳データをグループ化するため、電話番号毎に国番号を付加する操作負担はなくし、かつ、その記憶容量も最小限に抑制できる。
【００３２】
ＣＰＵ１８は、ＵＳＩＭカードの装着を検出すると、保存済み国番号に該当する国番号グループ２２が電話帳ＤＢ１７内にある場合に、現在仕様国グループ２１内の電話帳データを保存済み国番号に該当する国番号グループ２２内に更新登録する。その結果、国番号グループ２２の内容を更新登録できる。
【００３３】
ＣＰＵ１８は、保存済み国番号に該当する国番号グループ２２が電話帳ＤＢ１７内にない場合に、保存済み国番号に該当する国番号グループ２２を電話帳ＤＢ１７内に追加登録し、現在仕様国グループ２１内の電話帳データを国番号グループ２２内に更新登録する。その結果、国番号グループ２２の電話帳データを追加登録できる。
【００３４】
ＣＰＵ１８は、国番号メモリ１６Ａに抽出国番号を保存した後、抽出国番号に該当する国番号グループ２２が電話帳ＤＢ１７内にある場合、抽出国番号に該当する国番号グループ２２内の電話帳データを現在仕様国グループ２１内に更新登録する。その結果、現在装着中のＵＳＩＭの仕様国に対応した電話帳データを現在仕様国グループ２１内に更新登録できる。
【００３５】
図５は、発信処理に関わるＣＰＵ１８の処理動作の一例を示すフローチャートである。図５に示す発信処理は、現在仕様国グループ２１又は国番号グループ２２内の電話帳データの発信操作に応じて発信動作を実行する処理である。図５においてＣＰＵ１８内の発信制御部３４は、表示部１３の表示画面上の発信操作を検出したか否かを判定する（ステップＳ３１）。尚、ＣＰＵ１８は、現在仕様国グループ２１又は国番号グループ２２内の電話帳データを表示部１３に画面表示する。そして、利用者は、表示画面上で発信対象の電話番号（宛先名）を指定する発信操作を実行することになる。
【００３６】
発信制御部３４は、発信操作を検出した場合（ステップＳ３１肯定）、現在仕様国グループ２１内の電話帳データに対する発信であるか否かを判定する（ステップＳ３２）。発信制御部３４は、現在仕様国グループ２１内の電話帳データに対する発信の場合（ステップＳ３２肯定）、発信操作の電話帳データ内の電話番号２１Ｂに基づく発信動作を実行し（ステップＳ３３）、図５に示す処理動作を終了する。その結果、携帯端末１の利用者は、現在仕様国グループ２１内の電話帳データを利用して、例えば、国内の宛先への電話やＳＭＳ等の発信を実行できる。
【００３７】
発信制御部３４は、発信操作を検出しなかった場合（ステップＳ３１否定）、図５に示す処理動作を終了する。発信制御部３４は、現在仕様国グループ２１の電話帳データに対する発信でない場合（ステップＳ３２否定）、国番号グループ２２内の電話帳データに対する発信であるか否かを判定する（ステップＳ３４）。
【００３８】
発信制御部３４は、国番号グループ２２内の電話帳データに対する発信の場合（ステップＳ３４肯定）、発信操作の電話帳データ内の電話番号２２Ｃの先頭に該当国番号２２Ａを付加する（ステップＳ３５）。更に、発信制御部３４は、該当国番号２２Ａを付加した電話番号２２Ｃに基づく発信動作を実行し（ステップＳ３６）、図５に示す処理動作を終了する。その結果、携帯端末１の利用者は、国番号を意識することなく、国番号グループ２２内の電話帳データを利用して、例えば、海外の宛先への国際電話や国際ＳＭＳ等の発信を実行できる。
【００３９】
発信制御部３４は、国番号グループ２２内の電話帳データに対する発信でない場合（ステップＳ３４否定）、図５に示す処理動作を終了する。
【００４０】
図５に示す発信処理を実行するＣＰＵ１８は、現在仕様国グループ２１内の電話帳データを利用した発信操作を検出すると、発信操作の電話帳データ内の電話番号２１Ｂに基づく発信動作を実行する。その結果、携帯端末１の利用者は、現在仕様国グループ２１内の電話帳データを利用して国内の発信対象の電話番号（宛先名）に対する電話やＳＭＳ等の発信を実現できる。
【００４１】
ＣＰＵ１８は、国番号グループ２２内の電話帳データを利用した発信操作を検出すると、発信操作の電話帳データ内の電話番号２２Ｃの先頭に国番号２２Ａを付加し、国番号２２Ａを付加した電話番号２２Ｃに基づく、発信動作を実行する。その結果、携帯端末１の利用者は、国番号を意識することなく、国番号グループ２２内の電話帳データを利用して海外の発信対象の電話番号（宛先名）に対する国際電話や国際ＳＭＳ等の発信を実現できる。
【００４２】
ＣＰＵ１８は、国番号グループ２２内の電話番号に対する発信操作を検出すると、当該国番号グループ２２の国番号が装着中ＵＳＩＭの仕様国と同一の場合には、現在仕様国グループ２１内の該当電話番号に基づき発信動作を実行するものとする。更に、ＣＰＵ１８は、国番号グループ２２内の電話番号に対する発信操作を検出すると、当該国番号グループ２２の国番号が装着中ＵＳＩＭの仕様国と異なる場合に、当該電話番号に国番号を付加して自動発信する。
【００４３】
図６は、ＵＳＩＭ（日本）初回装着時の携帯端末１の動作の一例を示す説明図である。尚、携帯端末１の動作として、ＣＰＵ１８、電話帳ＤＢ１７及び通信部１１の一連の動作を例示する。
【００４４】
図６に示す通信部１１は、装着部１２に対するＵＳＩＭカードの装着に応じてＵＳＩＭ内のＩＣＣＩＤを抽出し（ステップＳ４１）、抽出したＩＣＣＩＤをＣＰＵ１８に通知する（ステップＳ４２）。尚、携帯端末１に装着中のＵＳＩＭカードは、図６の例では、「日本」の国番号が記録されているものとする。ＣＰＵ１８は、ＩＣＣＩＤを受信した場合、ＩＣＣＩＤから国番号「日本：＋８１」を抽出する（ステップＳ４３）。
【００４５】
ＣＰＵ１８は、ＵＳＩＭカード初回装着時であるため、国番号メモリ１６Ａ内に保存済みの国番号がなく、ステップＳ４３にて国番号「日本：＋８１」を抽出すると、抽出国番号「日本：＋８１」を国番号メモリ１６Ａ内に保存する（ステップＳ４４）。
【００４６】
その後、ＣＰＵ１８は、電話帳ＤＢ１７内に新規宛先の電話番号を登録する操作を検出すると（ステップＳ４５）、新規宛先の電話番号“１”を電話帳ＤＢ１７内の現在仕様国グループ２１内に登録する（ステップＳ４６）。尚、現在仕様国グループ２１は、現在装着中のＵＳＩＭの仕様国である日本の電話番号を管理登録する。
【００４７】
図７は、ＵＳＩＭ（フランス仕様）入れ替え時の携帯端末１の動作の一例を示す説明図である。図７の携帯端末１は、ＵＳＩＭカード（日本仕様）からＵＳＩＭカード（フランス仕様）に入れ替える例を例示する。
【００４８】
通信部１１は、装着部１２に対するＵＳＩＭカード（フランス仕様）の装着に応じてＵＳＩＭ内のＩＣＣＩＤを抽出し（ステップＳ５１）、ＩＣＣＩＤをＣＰＵ１８に通知する（ステップＳ５２）。尚、携帯端末１に装着中のＵＳＩＭカードは、図７の例では、「フランス」の国番号が記録されているものとする。ＣＰＵ１８は、ＩＣＣＩＤを受信した場合、ＩＣＣＩＤから国番号「フランス：＋３３」を抽出する（ステップＳ５３）。
【００４９】
ＣＰＵ１８は、ステップＳ５３にて国番号「フランス：＋３３」を抽出すると、国番号メモリ１６Ａ内に国番号「日本：＋８１」が保存されているため、保存済みの国番号「日本：＋８１」を読み出す（ステップＳ５４）。ＣＰＵ１８は、保存済みの国番号「日本：＋８１」に該当する国番号グループ２２が電話帳ＤＢ１７内にない場合に、電話帳ＤＢ１７内に日本の国番号グループ２２を追加する（ステップＳ５５）。更に、ＣＰＵ１８は、日本の国番号グループ２２を追加した後、現在仕様国グループ２１内の電話番号“１”を読み出し、読み出した電話番号“１”を日本の国番号グループ２２に更新登録する（ステップＳ５６）。
【００５０】
また、ＣＰＵ１８は、ステップＳ５４にて国番号メモリ１６Ａから保存済みの国番号である「日本：＋８１」を読み出した後、ステップＳ５３で抽出した国番号「フランス：＋３３」を国番号メモリ１６Ａ内に書き込み保存する（ステップＳ５７）。
【００５１】
その後、ＣＰＵ１８は、電話帳ＤＢ１７内に新規宛先の電話番号を登録する操作を検出すると（ステップＳ５８）、新規宛先の電話番号“２”を電話帳ＤＢ１７内の現在仕様国グループ２１内に登録する（ステップＳ５９）。尚、現在仕様国グループ２１は、現在装着中のＵＳＩＭの仕様国であるフランスの電話番号を管理登録する。
【００５２】
図８は、ＵＳＩＭ（日本仕様）入れ替え時の携帯端末１の動作の一例を示す説明図である。尚、図８の携帯端末１は、ＵＳＩＭカード（フランス仕様）からＵＳＩＭカード（日本仕様）に入れ替える例を例示する。
【００５３】
通信部１１は、装着部１２に対するＵＳＩＭカード（日本仕様）の装着に応じてＵＳＩＭ内のＩＣＣＩＤを抽出し（ステップＳ６１）、ＩＣＣＩＤをＣＰＵ１８に通知する（ステップＳ６２）。尚、携帯端末１に装着中のＵＳＩＭカードは、図８の例では、「日本」の国番号が記録されているものとする。ＣＰＵ１８は、ＩＣＣＩＤを受信した場合、ＩＣＣＩＤから国番号「日本：＋８１」を抽出する（ステップＳ６３）。
【００５４】
ＣＰＵ１８は、ステップＳ６３にて国番号「日本：＋８１」を抽出すると、国番号メモリ１６Ａ内に国番号「フランス：＋３３」が保存されているため、保存済みの国番号「フランス：＋３３」を読み出す（ステップＳ６４）。ＣＰＵ１８は、保存済みの国番号「フランス：＋３３」に該当する国番号グループ２２が電話帳ＤＢ１７内にない場合に、電話帳ＤＢ１７内にフランスの国番号グループ２２を追加する（ステップＳ６５）。
【００５５】
更に、ＣＰＵ１８は、フランスの国番号グループ２２を追加した後、現在仕様国グループ２１内の電話番号を“２”を読み出し、読み出した電話番号“２”をフランスの国番号グループ２２に更新登録する（ステップＳ６６）。
【００５６】
更に、ＣＰＵ１８は、ステップＳ６４で国番号メモリ１６Ａから保存済みの国番号である「フランス：＋３３」を読み出した後、ステップＳ６３で抽出した国番号「日本：＋８１」を国番号メモリ１６Ａ内に書き込む（ステップＳ６７）。ＣＰＵ１８は、書き込んだ国番号「日本：＋８１」に該当する国番号グループ２２内の電話番号“１”を現在仕様国グループ２１に更新登録する（ステップＳ６８）。
【００５７】
その後、ＣＰＵ１８は、電話帳ＤＢ１７内に新規宛先の電話番号“３”を登録する操作を検出すると（ステップＳ６９）、新規宛先の電話番号“３”を電話帳ＤＢ１７内の現在仕様国グループ２１内に更新登録する（ステップＳ７０）。尚、現在仕様国グループ２１は、現在装着中のＵＳＩＭの仕様国である日本であり、日本の電話番号“１”及び“３”が登録されているものとする。
【００５８】
図９は、ＵＳＩＭ（フランス仕様）入れ替え時の携帯端末１の動作の一例を示す説明図である。尚、図９の携帯端末１は、ＵＳＩＭカード（日本仕様）からＵＳＩＭカード（フランス仕様）に入れ替える例を例示する。
【００５９】
通信部１１は、装着部１２に対するＵＳＩＭカード（フランス仕様）の装着に応じてＵＳＩＭ内のＩＣＣＩＤを抽出し（ステップＳ８１）、ＩＣＣＩＤをＣＰＵ１８に通知する（ステップＳ８２）。尚、携帯端末１に装着中のＵＳＩＭカードは、図９の例では、「フランス」の国番号が記録されているものとする。ＣＰＵ１８は、ＩＣＣＩＤを受信した場合、ＩＣＣＩＤから国番号「フランス：＋３３」を抽出する（ステップＳ８３）。
【００６０】
ＣＰＵ１８は、ステップＳ８３にて国番号「フランス：＋３３」を抽出すると、国番号メモリ１６Ａ内に国番号「日本：＋８１」が保存されているため、保存済みの国番号「日本：＋８１」を読み出す（ステップＳ８４）。ＣＰＵ１８は、保存済みの国番号「日本：＋８１」に該当する国番号グループ２２が電話帳ＤＢ１７内にある場合、現在仕様国グループ２１に設定中の電話番号“１”及び“３”を読み出す。そして、ＣＰＵ１８は、読み出した電話番号を保存済みの国番号「日本：＋８１」に該当する国番号グループ２２内に更新登録する（ステップＳ８５）。
【００６１】
更に、ＣＰＵ１８は、ステップＳ８４にて国番号メモリ１６Ａから保存済みの国番号である「日本：＋８１」を読み出した後、ステップＳ７３で抽出した国番号「フランス：＋３３」を国番号メモリ１６Ａ内に書き込む（ステップＳ８６）。ＣＰＵ１８は、書き込んだ国番号「フランス：＋３３」に該当する国番号グループ２２内の電話番号“２”を現在仕様国グループ２１に更新登録する（ステップＳ８７）。
【００６２】
その後、ＣＰＵ１８は、電話帳ＤＢ１７内に新規宛先の電話番号“４”を登録する操作を検出すると（ステップＳ８８）、新規宛先の電話番号“４”を電話帳ＤＢ１７内の現在仕様国グループ２１内に更新登録する（ステップＳ８９）。尚、現在仕様国グループ２１は、現在装着中のＵＳＩＭの仕様国であるフランスであり、電話番号“２”及び“４”が登録されているものとする。
【００６３】
本実施例の携帯端末１では、ＵＳＩＭカードの装着に応じてＵＳＩＭから国番号を抽出し、抽出された国番号毎に電話帳データをグループ化して電話帳ＤＢ１７内に記憶する。更に、携帯端末１は、電話帳ＤＢ１７内に記憶中の電話番号に対応する発信操作を検出すると、発信操作の電話番号の国番号が装着中のＵＳＩＭの国番号と異なる場合に、電話帳ＤＢ１７内の電話番号の先頭に国番号を付加して発信する。その結果、例えば、電話番号に国番号を付加する操作負担が不要になるため、電話帳機能を利用した海外への国際電話や国際ＳＭＳ等の発信に要する利用者の操作負担を軽減できる。
【００６４】
しかも、国番号は電話番号単位で管理する必要はなく、国番号グループ単位でグループの情報として管理するため、その電話帳ＤＢ１７内の記憶容量を最小限に抑制し、しかも、電話番号毎に国番号を付加して登録するような操作負担も不要となる。
【００６５】
携帯端末１は、例えば、日本のＵＳＩＭカードからフランスのＵＳＩＭカードへ入れ替えの装着を検出すると、現在仕様国グループ２１に記憶中の電話番号を日本に該当する国番号グループ２２に更新登録する。その結果、ＵＳＩＭカードの入れ替えに応じて現在仕様国グループ２１に記憶中の電話番号を該当する国番号グループに更新できる。
【００６６】
携帯端末１は、現在仕様国グループ２１内の電話番号に対応する発信操作を検出すると、当該電話番号に基づく発信動作を実行する。その結果、利用者は、現在仕様国グループ２１の電話帳機能を利用した国内の電話やＳＭＳ等の発信動作をワンタッチ操作で実現できる。
【００６７】
更に、携帯端末１は、国番号グループ２２内の電話番号に対応する発信操作を検出すると、電話番号に該当する国番号を付加し、付加した電話番号に基づく発信動作を実行する。その結果、利用者は、国番号グループ２２の電話帳機能を利用した海外への国際電話や国際ＳＭＳ等の発信動作をワンタッチ操作で実現できる。
【００６８】
携帯端末１は、国番号グループ２２内の電話番号に対する発信操作を検出すると、当該国番号グループ２２の国番号が装着中ＵＳＩＭの仕様国と同一の場合には、現在仕様国グループ２１内の該当電話番号に基づき発信動作を実行する。その結果、国内への発信であるにも関わらず、国番号を付加した無駄な発信処理を回避できる。
【００６９】
携帯端末１は、国番号グループ２２内の電話番号に対する発信操作を検出すると、当該国番号グループ２２の国番号が装着中ＵＳＩＭの仕様国と異なる場合に、当該電話番号に国番号を付加して自動発信する。
【００７０】
尚、上記実施例では、現在仕様国と同一の国番号グループ２２に対する発信操作を回避するため、現在仕様国の国番号グループ２２を表示部１３に画面表示しないようにしても良い。
【００７１】
また、上記実施例では、ＵＳＩＭを例示したが、例えば、ＵＩＭ（User Identity Module Card）等のＳＩＭ全般に適用可能である。
【００７２】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００７３】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００７４】
ところで、本実施例で説明した各種の処理は、予め用意されたプログラムを端末装置内のＣＰＵ等のプロセッサで実行させることによって実現できる。そこで、以下では、上記実施例と同様の機能を有するプログラムを実行する端末装置の一例を説明する。図１０は、発信処理プログラムを実行する端末装置の一例を示す説明図である。
【００７５】
図１０に示す発信処理プログラムを実行する端末装置１００は、無線部１１０と、操作部１２０と、ＲＯＭ１３０と、ＲＡＭ１４０と、ＣＰＵ１５０とを有する。無線部１１０、操作部１２０、ＲＯＭ１３０、ＲＡＭ１４０及びＣＰＵ１５０は、バス１６０を介して接続される。
【００７６】
そして、ＲＯＭ１３０には、上記実施例と同様の機能を発揮する発信処理プログラムが予め記憶されている。ＲＯＭ１３０は、発信処理プログラムとして抽出プログラム１３０Ａ、記憶制御プログラム１３０Ｂ及び発信制御プログラム１３０Ｃが記憶されている。尚、ＲＯＭ１３０ではなく、図示せぬドライブでコンピュータ読取可能な記録媒体に発信処理プログラムが記録されていても良い。また、記録媒体としては、例えば、ＣＤ−ＲＯＭ、ＤＶＤディスク、ＵＳＢメモリ等の可搬型記録媒体、フラッシュメモリ等の半導体メモリ等でも良い。
【００７７】
そして、ＣＰＵ１５０は、抽出プログラム１３０ＡをＲＯＭ１３０から読み出して抽出プロセス１５０Ａとして機能する。更に、ＣＰＵ１５０は、記憶制御プログラム１３０ＢをＲＯＭ１３０から読み出して記憶制御プロセス１５０Ｂとして機能する。ＣＰＵ１５０は、発信制御プログラム１３０ＣをＲＯＭ１３０から読み出して発信制御プロセス１５０Ｃとして機能する。
【００７８】
端末装置１００は、固有の電話番号を識別する識別情報が記録された記録媒体を着脱可能に装着する機能を有する。ＣＰＵ１５０は、記録媒体の装着に応じて記録媒体から国情報を抽出する。ＣＰＵ１５０は、抽出された国情報毎に電話番号を記憶するＲＡＭ１４０に記憶する。ＣＰＵ１５０は、ＲＡＭ１４０に記憶中の電話番号に対応する発信操作を検出すると、当該電話番号の国情報が装着中の記録媒体の国情報と異なる場合に、当該電話番号に対応する国情報の国番号を電話番号に付加して発信する。その結果、電話帳機能を利用した海外への発信に要する操作負担を軽減できる。
【符号の説明】
【００７９】
１  携帯端末
１７  電話帳ＤＢ
２１  現在仕様国グループ
２２  国番号グループ
３１  抽出部
３２  判定部
３３  記憶制御部
３４  発信制御部
【図１】
0006330554.tif 000002
【図２】
0006330554.tif 000003
【図３】
0006330554.tif 000004
【図４】
0006330554.tif 000005
【図５】
0006330554.tif 000006
【図６】
0006330554.tif 000007
【図７】
0006330554.tif 000008
【図８】
0006330554.tif 000009
【図９】
0006330554.tif 000010
【図１０】
0006330554.tif 000011